(57)【特許請求の範囲】
【請求項１】
電気回路を構成する機器間に介在され、かつ一部に長尺板状の被切断部を有する導電体と、
前記被切断部の厚み方向の一方に形成された消弧室と、
前記厚み方向であって、前記被切断部を挟んで前記消弧室の反対側に配設されたガス発生器と、
前記被切断部及び前記ガス発生器の間に配設され、同ガス発生器で発生されたガスにより前記消弧室に向けて移動させられて、同被切断部を刃部により同消弧室で切断する切断部材と
を備え、前記切断により、前記被切断部には、互いに離間した状態の一対の切断端を生じさせ、前記機器間の導通を遮断するようにした導通遮断装置であって、
前記刃部の外壁面であって、同刃部による前記被切断部の切断後に両切断端の一方が接近する箇所と他方が接近する箇所との間の領域には嵌合部が設けられ、
前記消弧室の内壁面には、前記嵌合部の少なくとも一部が接触された状態で嵌合される被嵌合部が設けられている導通遮断装置。
【請求項２】
前記嵌合部は、前記刃部のうち、前記切断部材の移動方向における先端部に設けられ、
前記被嵌合部は、前記消弧室の内壁面のうち前記嵌合部の先端面に対向する奥壁面に設けられている請求項１に記載の導通遮断装置。
【請求項３】
前記被嵌合部は、前記消弧室の前記奥壁面において開口する凹部により構成されており、
前記嵌合部は、前記被嵌合部に挿入されることで、前記切断部材の移動方向における先端において同被嵌合部の内壁面に接触された状態で同被嵌合部に嵌合されるものであり、
前記被嵌合部の少なくとも奥部は、前記被切断部の長さ方向における寸法が、前記消弧室の前記奥壁面から遠ざかるに従い小さくなるように形成されている請求項２に記載の導通遮断装置。
【請求項４】
前記被嵌合部の内壁面のうち、前記嵌合部の前記先端面に対向する内奥壁面には、同被嵌合部に挿入される同嵌合部により押圧されて変形させられるリブが設けられている請求項３に記載の導通遮断装置。
【請求項５】
前記嵌合部は、前記刃部のうち、前記被切断部の幅方向に直交する側壁面に設けられ、
前記被嵌合部は、前記消弧室のうち、前記幅方向に直交する側壁面に設けられている請求項１〜４のいずれか１項に記載の導通遮断装置。
【請求項６】
前記被嵌合部は、前記消弧室の前記側壁面において開口し、かつ前記切断部材の移動方向に沿って延びる凹部により構成されており、
前記嵌合部は、前記被嵌合部に挿入されることで、前記切断部材の移動方向における先端において同被嵌合部の内壁面に接触された状態で同被嵌合部に嵌合されるものであり、
前記被嵌合部のうち、前記切断部材の移動方向における少なくとも先端部は、同被嵌合部の深さが同方向における先端側ほど浅くなるように形成されている請求項５に記載の導通遮断装置。
【請求項７】
前記消弧室は前記導電体に面して開口する多角形状の開口部を有し、かつ同開口部において前記被切断部の幅方向に沿って延びる一辺を切断エッジ部としており、
前記刃部は、前記消弧室内で前記切断エッジ部に接近した箇所を移動することにより、同切断エッジ部との間で前記被切断部を切断するものであり、
前記切断部材は弾性変形し得る材料により形成されており、
前記嵌合部は、前記被嵌合部に挿入される際に前記切断部材を前記切断エッジ部側へ弾性変形させることで、同被嵌合部に接触されるものである請求項３に記載の導通遮断装置。
【請求項８】
前記被嵌合部の内壁面のうち、前記嵌合部の前記先端面に対向する面には、前記嵌合部により押圧されて変形させられるリブが設けられている請求項２に記載の導通遮断装置。
【発明の詳細な説明】
【技術分野】
【０００１】
本発明は、電気回路を構成する機器間の導通を、導電体の切断を通じて遮断する導通遮断装置に関する。
【背景技術】
【０００２】
電気回路には、その電気回路を構成する機器の異常時や、同電気回路が搭載されたシステムの異常時に作動することによって機器間の導通を遮断する導通遮断装置が設けられる。その一態様として、導電体、ガス発生器及び切断部材を備えた導通遮断装置が、例えば特許文献１に記載されている。導電体は、電気回路を構成する機器間に介在される。ガス発生器は、導電体から離れた箇所に配設され、ガスを発生する。切断部材は、導電体及びガス発生器の間に配設され、ガス発生器からのガスにより移動させられて導電体を切断する。この切断により、導電体には互いに離間した状態の一対の切断端が生じ、導電体が両切断端間で分断された状態となり、機器間の導通が遮断される。
【０００３】
ところで、導通遮断装置が作動して、通電状態の導電体が切断されると、切断により生じた一対の切断端間で電位差が生じることによりアークが発生する、すなわち、両切断端間に存在する気体の絶縁が破壊されて電流が流れる現象が生ずる場合がある。
【０００４】
アークが発生すると、両切断端間が電気的に接続された状態となり、導電体は物理的に切断されているにも拘わらず、通電した状態を維持する（導通が遮断されない）おそれがある。そのほか、アークは導電体や周辺の樹脂製の部材を溶融させるおそれがある。
【０００５】
これに対し、上記特許文献１に記載された導通遮断装置では、上記構成に加え、切断部材による導電体の切断が行なわれるとともに、切断により導電体に生ずる一対の切断端間で発生するアークを減衰させる消弧室が設けられている。消弧室は、電気絶縁性を有する材料により形成されている。消弧室の内壁面であって、導電体の切断時に両切断端の一方が接近する箇所と他方が接近する箇所との間を少なくとも含む領域には凹部が設けられている。
【０００６】
そのため、通電状態の導電体が切断部材により切断された場合、アークが一方の切断端から他方の切断端に向け、凹部の壁面に沿って流れる。アークが凹部の壁面に沿う分、アークが流れる経路の長さは、凹部の設けられていない場合よりも長くなり、アークが減衰される。従って、アークが導通遮断装置に及ぼす影響は、アークを減衰させるための対策が講じられていないものよりも小さくなる。
【先行技術文献】
【特許文献】
【０００７】
【特許文献１】特開２０１４−４９３００号公報
【発明の概要】
【発明が解決しようとする課題】
【０００８】
特許文献１に記載された技術は、上述したように、アークが流れる経路を長くして、アークを減衰させようとするものである。しかし、この技術がアークを減衰させるための唯一の方式というわけではなく、これとは異なる方式でアークを減衰させることのできる導通遮断装置も要望されている。
【０００９】
本発明は、このような実情に鑑みてなされたものであって、その目的は、導電体の切断に伴い切断端間で発生したアークを効率よく減衰させることのできる導通遮断装置を提供することにある。
【課題を解決するための手段】
【００１０】
上記課題を解決する導通遮断装置は、電気回路を構成する機器間に介在され、かつ一部に長尺板状の被切断部を有する導電体と、前記被切断部の厚み方向の一方に形成された消弧室と、前記厚み方向であって、前記被切断部を挟んで前記消弧室の反対側に配設されたガス発生器と、前記被切断部及び前記ガス発生器の間に配設され、同ガス発生器で発生されたガスにより前記消弧室に向けて移動させられて、同被切断部を刃部により同消弧室で切断する切断部材とを備え、前記切断により、前記被切断部には、互いに離間した状態の一対の切断端を生じさせ、前記機器間の導通を遮断するようにした導通遮断装置であって、前記刃部の外壁面であって、同刃部による前記被切断部の切断後に両切断端の一方が接近する箇所と他方が接近する箇所との間の領域には嵌合部が設けられ、前記消弧室の内壁面には、前記嵌合部の少なくとも一部が接触された状態で嵌合される被嵌合部が設けられている。
【００１１】
上記の構成によれば、導電体に通電された状態で、ガス発生器からガスが発生されると、そのガスの圧力が切断部材に加わり、同切断部材が消弧室側へ移動させられる。被切断部が切断部材の刃部によって押圧され、消弧室において切断される。この切断に伴い、被切断部には、互いに離間した状態の一対の切断端が生ずる。導電体は、両切断端間で分断された状態となり、機器間の導通が遮断される。
【００１２】
このとき、一方の切断端からは、アークが、切断部材の刃部と消弧室との間の空間を経由して、他方の切断端に向けて流れようとする。しかし、被切断部の切断後には、両切断端間において、消弧室の被嵌合部に対し切断部材の嵌合部が嵌合されて、嵌合部と被嵌合部との間の空間が狭くされるため、アークはこの空間を流れにくい。
【００１３】
しかも、上記嵌合は、嵌合部の少なくとも一部が被嵌合部に接触された状態でなされる。嵌合部と被嵌合部との間の空間が、接触部分を境として被切断部の長さ方向に分断されたような状態となり、アークがこの空間をより一層流れにくくなる。
【００１４】
上記導通遮断装置において、前記嵌合部は、前記刃部のうち、前記切断部材の移動方向における先端部に設けられ、前記被嵌合部は、前記消弧室の内壁面のうち前記嵌合部の先端面に対向する奥壁面に設けられていることが好ましい。
【００１５】
上記の構成によれば、切断部材の刃部による被切断部の切断後には、刃部のうち、切断部材の移動方向における先端部に設けられた嵌合部が、消弧室の内壁面のうち嵌合部の先端面に対向する奥壁面に設けられた被嵌合部に嵌合される。この嵌合に際しては、嵌合部の少なくとも一部が被嵌合部に接触される。このように、嵌合部の被嵌合部との接触を伴う嵌合は、切断部材の移動方向における先端側で行なわれる。
【００１６】
そのため、アークは、一方の切断端から、切断部材の移動方向における先端側へ向かって流れ、嵌合部と被嵌合部との間の空間を経由した後、他方の切断端に向かって流れることになる。しかし、上記先端側では嵌合部と被嵌合部との間の空間が狭く、分断された状態となっていることからアークが同空間を流れにくい。
【００１７】
上記導通遮断装置において、前記被嵌合部は、前記消弧室の前記奥壁面において開口する凹部により構成されており、前記嵌合部は、前記被嵌合部に挿入されることで、前記切断部材の移動方向における先端において同被嵌合部の内壁面に接触された状態で同被嵌合部に嵌合されるものであり、前記被嵌合部の少なくとも奥部は、前記被切断部の長さ方向における寸法が、前記消弧室の前記奥壁面から遠ざかるに従い小さくなるように形成されていることが好ましい。
【００１８】
被嵌合部の少なくとも奥部が上記の条件を満たす形状に形成されることで、嵌合部が被嵌合部に挿入される過程で、同嵌合部の先端が被嵌合部において、被切断部の長さ方向に対向する内壁面の少なくとも一方に対し接触しやすくなる。嵌合部は、その先端を被嵌合部の上記内壁面に接触させた状態で同被嵌合部に嵌合される。
【００１９】
上記導通遮断装置において、前記被嵌合部の内壁面のうち、前記嵌合部の前記先端面に対向する内奥壁面には、同被嵌合部に挿入される同嵌合部により押圧されて変形させられるリブが設けられていることが好ましい。
【００２０】
上記の構成によれば、嵌合部の被嵌合部への挿入が進むにつれて、嵌合部の先端面が被嵌合部の内奥壁面に近づく。嵌合部の先端面が、被嵌合部の上記内奥壁面に設けられたリブに接触した後にも、嵌合部の移動が続くと、リブが嵌合部によって押圧されて変形させられる。嵌合部の先端面と被嵌合部の内奥壁面との間の空間が、上記のように変形したリブによって埋められた状態となり、同空間がより一層小さくされ、アークがこの空間をより一層流れにくくなる。
【００２１】
上記導通遮断装置において、前記嵌合部は、前記刃部のうち、前記被切断部の幅方向に直交する側壁面に設けられ、前記被嵌合部は、前記消弧室のうち、前記幅方向に直交する側壁面に設けられていることが好ましい。
【００２２】
上記の構成によれば、切断部材の刃部による被切断部の切断後には、同刃部のうち被切断部の幅方向に直交する側壁面に設けられた嵌合部が、消弧室において、被切断部の幅方向に直交する側壁面に設けられた被嵌合部に嵌合される。この嵌合に際しては、嵌合部の少なくとも一部が被嵌合部に接触される。このように、嵌合部の被嵌合部との接触を伴う嵌合は、被切断部の幅方向に沿った側で行なわれる。
【００２３】
そのため、アークは、一方の切断端から、被切断部の幅方向に沿って流れ、嵌合部と被嵌合部との間の空間を経由した後、他方の切断端に向かって流れることになる。しかし、被切断部の幅方向における外端側では嵌合部と被嵌合部との間の空間が狭く、分断された状態となっていることからアークが同空間を流れにくい。
【００２４】
上記導通遮断装置において、前記被嵌合部は、前記消弧室の前記側壁面において開口し、かつ前記切断部材の移動方向に沿って延びる凹部により構成されており、前記嵌合部は、前記被嵌合部に挿入されることで、前記切断部材の移動方向における先端において同被嵌合部の内壁面に接触された状態で同被嵌合部に嵌合されるものであり、前記被嵌合部のうち、前記切断部材の移動方向における少なくとも先端部は、同被嵌合部の深さが同方向における先端側ほど浅くなるように形成されていることが好ましい。
【００２５】
被嵌合部のうち、切断部材の移動方向における少なくとも先端部が上記の条件を満たす形状に形成されることで、嵌合部が被嵌合部に挿入される過程で、同嵌合部の先端が被嵌合部において、被切断部の幅方向に対向する内壁面の少なくとも一方に対し接触しやすくなる。嵌合部は、その先端を被嵌合部の上記内壁面に接触させた状態で同被嵌合部に嵌合される。
【００２６】
上記導通遮断装置において、前記消弧室は前記導電体に面して開口する多角形状の開口部を有し、かつ同開口部において前記被切断部の幅方向に沿って延びる一辺を切断エッジ部としており、前記刃部は、前記消弧室内で前記切断エッジ部に接近した箇所を移動することにより、同切断エッジ部との間で前記被切断部を切断するものであり、前記切断部材は弾性変形し得る材料により形成されており、前記嵌合部は、前記被嵌合部に挿入される際に前記切断部材を前記切断エッジ部側へ弾性変形させることで、同被嵌合部に接触されるものであることが好ましい。
【００２７】
上記の構成によれば、導電体に通電された状態でガス発生器からガスが発生されると、そのガスにより、切断部材の刃部は、消弧室内であって、開口部において被切断部の幅方向に沿って延びる一辺により構成される切断エッジ部に接近した箇所を移動する。導電体は、これらの間隔の狭い切断エッジ部及び刃部の間で切断される。
【００２８】
ここで、切断部材は弾性変形し得る材料によって形成されている。そのため、嵌合部が被嵌合部に挿入される際に、切断部材が切断エッジ部側へ弾性変形させられることで、嵌合部が被嵌合部に接触しつつ嵌合される。
【００２９】
上記導通遮断装置において、前記被嵌合部の内壁面のうち、前記嵌合部の前記先端面に対向する面には、前記嵌合部により押圧されて変形させられるリブが設けられていることが好ましい。
【００３０】
上記の構成によれば、嵌合部の被嵌合部への挿入が進むにつれて、嵌合部の先端面が被嵌合部の内壁面のうち、嵌合部の先端面に対向する面に近づく。嵌合部の先端面が、被嵌合部の上記面に設けられたリブに接触した後にも、嵌合部の移動が続くと、リブが嵌合部によって押圧されて変形させられる。嵌合部の先端面と被嵌合部の上記面との間の空間が、上記のように変形したリブによって埋められた状態となり、同空間がより一層小さくされ、アークがこの空間をより一層流れにくくなる。
【発明の効果】
【００３１】
上記導通遮断装置によれば、導電体の切断に伴い切断端間で発生したアークを効率よく減衰させることができる。
【図面の簡単な説明】
【００３２】
【図１】一実施形態における導通遮断装置の内部構造を示す断面図。
【図２】図１の導通遮断装置が適用される電気回路の概略構成を示す略図。
【図３】図１におけるＸ部を拡大して示す部分断面図。
【図４】図３の４−４線断面図。
【図５】一実施形態の導通遮断装置において、切断部材の刃部及び嵌合部を示す部分斜視図。
【図６】（ａ）は、一実施形態の導通遮断装置において、導電体の被切断部が切断された状態を示す部分断面図、（ｂ）は、図６（ａ）の一部を拡大して示す部分断面図。
【図７】（ａ）は図６（ａ）の７−７線断面図、（ｂ）は図７（ａ）の一部を拡大して示す部分断面図。
【図８】図６（ｂ）に対応する図であり、（ａ）は、被嵌合部の内奥壁面にリブが設けられた変形例を示す部分断面図、（ｂ）は、図８（ａ）のリブが嵌合部により押圧されて変形させられた状態を示す部分断面図。
【図９】嵌合部及び被嵌合部の変形例を示す図であり、切断部材が切断エッジ部側へ弾性変形させられることで、嵌合部が複数箇所において被嵌合部に接触させられた状態を示す部分断面図。
【図１０】図６（ｂ）に対応する図であり、被嵌合部の変形例を示す部分断面図。
【図１１】図６（ｂ）に対応する図であり、嵌合部及び被嵌合部の変形例を示す部分断面図。
【図１２】図６（ａ）に対応する図であり、変形例の導通遮断装置により導電体の被切断部が切断された状態を示す部分断面図。
【発明を実施するための形態】
【００３３】
以下、車両用の導通遮断装置に具体化した一実施形態について、図１〜図７を参照して説明する。
図２は、導通遮断装置Ｃが適用される電気回路１１を示している。電気回路１１は、これを構成する機器として蓄電池１２及び電気機器１３を備えている。この電気回路１１では、蓄電池１２からの電力供給によって電気機器１３が作動させられる。電気機器１３は、蓄電池１２から入力される電力を昇圧したうえで出力するコンバータ１４と、同コンバータ１４から入力される直流電力をモータ駆動に適した交流電力に変換して出力するインバータ１５と、インバータ１５から出力される交流電力によって駆動されるモータ１６とによって構成されている。
【００３４】
上記電気回路１１は車両１０に搭載されている。この車両１０に対し衝突による衝撃が加わった場合には、電気機器１３が適正に作動しなくなったり、上記電気回路１１からの漏電を招いたりするおそれがある。そのため、車両１０には、その衝突に際して、電気回路１１を構成する機器間、例えば、蓄電池１２と電気機器１３との間の導通を遮断する導通遮断装置Ｃが設けられている。車両１０には、その衝突の有無を検出する衝突センサ１７と、マイクロコンピュータを中心に構成され、かつ衝突センサ１７からの信号が入力される電子制御ユニット１８とが取付けられている。電子制御ユニット１８は、衝突センサ１７の出力信号をもとに車両１０の衝突を検知すると、導通遮断装置Ｃを作動させる。この作動により、蓄電池１２から電気機器１３への電力供給が遮断される。
【００３５】
次に、導通遮断装置Ｃの基本的な構造について説明する。図１に示すように、導通遮断装置Ｃは、導電体２０、ケース３０、火薬式のガス発生器５９及び切断部材６０を備えている。次に、導通遮断装置Ｃを構成する各部材について説明する。
【００３６】
＜導電体２０＞
導電体２０は、蓄電池１２及びコンバータ１４の間を導通させる導通経路を構成するものであり、バスバーとも呼ばれる。導電体２０は、電気伝導率の高い金属材料によって形成されている。こうした金属材料としては、銅が代表的であるが、その他の材料、例えば真鍮、アルミニウム等が用いられてもよい。導電体２０の両端部は、外部接続部２０ａ，２０ｂを構成している。これらの外部接続部２０ａ，２０ｂは、蓄電池１２及びコンバータ１４に接続される箇所である。すなわち、各外部接続部２０ａ，２０ｂには、貫通孔２１があけられている。そして、上記貫通孔２１を利用してねじ等によって、外部接続部２０ａ，２０ｂのうちの一方が、蓄電池１２に導通する端子に接続されるとともに、他方が、コンバータ１４に導通する端子に接続される。このようにして、導電体２０が外部接続部２０ａ，２０ｂにおいて、電気回路１１の上記端子にそれぞれ接続されることにより、蓄電池１２及びコンバータ１４の間が導電体２０を通じて導通される。
【００３７】
導電体２０は、両外部接続部２０ａ，２０ｂのほかに、それらの間に被切断部２２を有している。被切断部２２は、両外部接続部２０ａ，２０ｂ間において、それらの並設方向（図１の左右方向）へ延びていて、長尺板状をなしている。なお、被切断部２２の延びる方向、すなわち、両外部接続部２０ａ，２０ｂの並設方向を、被切断部２２の長さ方向という場合がある。また、被切断部２２の厚み方向というときには、切断前の被切断部２２の厚み方向を指すものとする。
【００３８】
＜ケース３０＞
ケース３０は、電気絶縁性を有し、かつ強度の高い材料、例えば樹脂材料によって形成されており、その内部には、上記導電体２０を配置するための配置部３１が形成されている。導電体２０は、外部接続部２０ａ，２０ｂをケース３０の外部に露出させた状態で、上記配置部３１に配設されている。ケース３０内において、被切断部２２の厚み方向の一方（図１では上方）には消弧室３２が形成されている。ケース３０内において、上記厚み方向であって、被切断部２２を挟んで消弧室３２の反対側（図１の下側）には可動室４１が形成されている。
【００３９】
消弧室３２は、切断部材６０により被切断部２２の切断が行なわれるとともに、切断により被切断部２２に生ずる一対の切断端２３，２４（図６（ａ）参照）間で発生するアークを減衰させるための部屋である。消弧室３２の奥行き（図１の紙面に直交する方向の寸法）は、被切断部２２の幅（図１の紙面に直交する方向の寸法）よりも僅かに大きく設定されており、切断された被切断部２２が同消弧室３２内に入り込むことが可能となっている。
【００４０】
図３に示すように、消弧室３２は、切断前の被切断部２２に面して開口する多角形状の開口部３３を有している。この開口部３３において、被切断部２２の長さ方向における一方（図３の左方）の辺は、被切断部２２の幅方向に延びていて切断エッジ部３４を構成している。
【００４１】
消弧室３２は、第１側壁面３５、第２側壁面３６、一対の第３側壁面３７、及び奥壁面３８を有している。第１側壁面３５は、切断エッジ部３４を含んだ状態で、切断前の被切断部２２に対し直交又はそれに近い状態で交差する方向へ延びている。第２側壁面３６は、第１側壁面３５に対し、被切断部２２の長さ方向へ離間した箇所に位置している。第２側壁面３６は、開口部３３から遠ざかるほど（図３の上側ほど）、第１側壁面３５との間隔が狭まるように、同第１側壁面３５に対し傾斜している。各第３側壁面３７は、被切断部２２の幅方向に直交している。奥壁面３８は、開口部３３から遠ざかった箇所に位置し、切断前の被切断部２２に対し平行又はそれに近い状態となっている。
【００４２】
図１に示すように、可動室４１は、被切断部２２の厚み方向に沿って延びる略円筒状をなしている。可動室４１の内壁面の複数箇所には、上記厚み方向に沿って延びるガイド溝４２が形成されている。
【００４３】
＜ガス発生器５９＞
ガス発生器５９は、導通遮断装置Ｃの駆動源として用いられている。ガス発生器５９は、被切断部２２の厚み方向であって、同被切断部２２を挟んで消弧室３２の反対側において、自身の一部を可動室４１に露出させた状態でケース３０内に配設されている。ガス発生器５９は電子制御ユニット１８に接続されており、同電子制御ユニット１８からの作動信号の入力に伴って内蔵の火薬を着火及び燃焼させてガスを発生させる。
【００４４】
なお、火薬式のガス発生器５９を用いて駆動される装置には、一般に、駆動源として他の方式（電磁式等）のものが用いられる装置と比較して、迅速な駆動が可能であり、低廉で、しかも動作信頼性が高い特徴がある。
【００４５】
＜切断部材６０＞
切断部材６０は、被切断部２２の厚み方向に沿って延びる略円柱状の本体部６１と、本体部６１から消弧室３２側へ突出し、かつ上記切断エッジ部３４と協働して被切断部２２を切断する刃部６２とを備えている。切断部材６０は、可動室４１内であって被切断部２２とガス発生器５９との間に配設されている。本体部６１の外壁面の複数箇所には、被切断部２２の厚み方向に沿って延びるガイド突部６３が設けられている。本体部６１は、ガイド突部６３において、可動室４１のガイド溝４２に対し、被切断部２２の厚み方向へ移動可能に係合されている。
【００４６】
図３、図５及び図６（ａ）に示すように、刃部６２は、第１側壁面６５、第２側壁面６６、一対の第３側壁面６７及び先端面６８を有している。第１側壁面６５は、切断エッジ部３４から、被切断部２２の長さ方向へ、同切断エッジ部３４と協働して被切断部２２を切断（剪断）するのに適した、僅かな距離Ｄ１（図３参照）、例えば、０．５ｍｍ程度離れた箇所で、切断前の被切断部２２に対し直交又はそれに近い状態で交差する方向へ延びている。第２側壁面６６は、第１側壁面６５に対し、被切断部２２の長さ方向へ離間した箇所に位置している。第２側壁面６６は、消弧室３２の上記第２側壁面３６に対応して傾斜、すなわち、本体部６１から遠ざかるほど（図６（ａ）の上側ほど）、上記第１側壁面６５との間隔が狭まるように、同第１側壁面６５に対し傾斜している。一対の第３側壁面６７は、被切断部２２の幅方向に直交している。先端面６８は、刃部６２において本体部６１から遠ざかった箇所に位置し、切断前の被切断部２２に対し平行又はそれに近い状態となっている。
【００４７】
なお、上記切断部材６０は、電気絶縁性を有し、かつ強度が高く、弾性変形し得る材料、例えば樹脂材料を用いて形成されている。
上記切断部材６０が用いられて被切断部２２が切断されると、その切断により生じた一対の切断端２３，２４は、被切断部２２の長さ方向及び厚み方向に離間する。一方の切断端２３は、切断エッジ部３４の近くに位置する。他方の切断端２４は、刃部６２の先端面６８上であって、第１側壁面６５と第２側壁面６６との中間部分に位置する。
【００４８】
上述した構造が、導通遮断装置Ｃの基本構造である。本実施形態では、上記基本構造に加え、刃部６２に嵌合部７０が設けられ、消弧室３２に被嵌合部４５が設けられている。次に、各部について説明する。
【００４９】
＜嵌合部７０＞
嵌合部７０は、刃部６２の外壁面であって、同刃部６２による被切断部２２の切断後に両切断端２３，２４の一方が接近する箇所と他方が接近する箇所との間の領域に設けられている。この条件を満たす箇所として、嵌合部７０は、第１側壁面６５に接近した箇所で、刃部６２の周り（先端面６８上、両第３側壁面６７上）に設けられている。
【００５０】
図５、図６（ａ），（ｂ）及び図７（ａ），（ｂ）に示すように、嵌合部７０は、上嵌合部７１、一対の側嵌合部７２、及び一対の連結嵌合部７３によって構成されている。上嵌合部７１は、刃部６２の先端面６８のうち第１側壁面６５寄りの箇所から上方へ突出していて、被切断部２２の幅方向に細長い形状をなしている。この嵌合部７０の切断エッジ部３４側の面は、刃部６２の第１側壁面６５と同一平面上に位置している。そのため、嵌合部７０は、刃部６２と同様、切断エッジ部３４と協働して被切断部２２を切断する機能を有している。各側嵌合部７２は、刃部６２の第３側壁面６７のうち第１側壁面６５寄りの箇所から、被切断部２２の幅方向における外側へ突出していて、上下方向に細長い形状をなしている。各連結嵌合部７３は、上嵌合部７１において、被切断部２２の幅方向における両外端部と、各側嵌合部７２において切断部材６０の移動方向の先端部との間に設けられて、それらを互いに連結している。
【００５１】
＜被嵌合部４５＞
図４、図６（ａ），（ｂ）及び図７（ａ），（ｂ）に示すように、被嵌合部４５は、嵌合部７０の少なくとも一部が接触された状態で嵌合される箇所である。この条件を満たす箇所として、被嵌合部４５は、第１側壁面３５に接近した箇所で、奥壁面３８及び両第３側壁面３７の周りに設けられている。
【００５２】
被嵌合部４５は、上被嵌合部４６、一対の側被嵌合部４７、及び一対の連結被嵌合部４８によって構成されている。上被嵌合部４６は、奥壁面３８のうち第１側壁面３５寄りの箇所において開口し、かつ上方へ凹む凹部によって構成されている。上被嵌合部４６は、被切断部２２の幅方向に沿って延びている。
【００５３】
各側被嵌合部４７は、各第３側壁面３７のうち第１側壁面３５寄りの箇所から被切断部２２の幅方向における両方の外側へ凹んでいる。各側被嵌合部４７は、切断部材６０の移動方向に沿って延びている。各連結被嵌合部４８は、上被嵌合部４６において、被切断部２２の幅方向における両端部と、各側被嵌合部４７において切断部材６０の移動方向の先端部との間に設けられて、それらを互いに連結している。
【００５４】
被嵌合部４５における上被嵌合部４６及び両連結被嵌合部４８に対しては、嵌合部７０における上嵌合部７１及び両連結嵌合部７３が挿入される。この挿入により、上嵌合部７１及び両連結嵌合部７３は、自身の少なくとも一部において上被嵌合部４６及び両連結被嵌合部４８の内壁面に接触する。
【００５５】
また、被嵌合部４５における両側被嵌合部４７に対しては、嵌合部７０における両側嵌合部７２が挿入される。
上被嵌合部４６及び両連結被嵌合部４８において、消弧室３２の奥壁面３８から最も遠ざかった面を内奥壁面４９といい、内奥壁面４９の近傍部分（内奥壁面４９を含む）を奥部５１というものとする。
【００５６】
奥部５１において、被切断部２２の幅方向に沿って互いに平行に延びる一対の縁部５２には、傾斜面５３がそれぞれ形成されている。縁部５２毎の傾斜面５３は、被切断部２２の長さ方向における両縁部５２間の寸法Ｌ１が、消弧室３２の奥壁面３８から遠ざかるに従い小さくなるように、切断部材６０の移動方向に対し傾斜している。
【００５７】
また、奥部５１において、被切断部２２の長さ方向に沿って互いに平行に延びる一対の縁部５４には、傾斜面５５がそれぞれ形成されている。縁部５４毎の傾斜面５５は、被切断部２２の幅方向における両縁部５４間の寸法Ｌ２が、消弧室３２の奥壁面３８から遠ざかるに従い小さくなるように、切断部材６０の移動方向に対し傾斜している。
【００５８】
さらに、上記奥部５１における各連結被嵌合部４８は、嵌合部７０における両側嵌合部７２及び両連結嵌合部７３が、被嵌合部４５における両側被嵌合部４７及び連結被嵌合部４８に沿って移動する際の先端部を構成する。この先端部では、上記両傾斜面５５の形成により、第３側壁面３７からの深さＤ２が、切断部材６０の移動方向における先端側ほど浅くなっている。
【００５９】
次に、上記のように構成された本実施形態の導通遮断装置Ｃの作用について説明する。
車両１０の衝突が衝突センサ１７によって検知されないときには、電子制御ユニット１８からガス発生器５９に対し作動信号が出力されず、同ガス発生器５９からガスが発生されない。図１及び図３に示すように、切断部材６０は、被切断部２２とガス発生器５９との間に位置し、消弧室３２から後退している。そのため、被切断部２２は切断されず、蓄電池１２及びコンバータ１４の間は導電体２０を介して導通された状態となる。
【００６０】
これに対し、導電体２０に通電されているときに、車両１０の衝突が衝突センサ１７によって検知されると、電子制御ユニット１８からガス発生器５９に作動信号が出力される。この作動信号に応じ、ガス発生器５９が作動してガスを発生する。切断部材６０が、消弧室３２側へ向かうガスの圧力を受ける。このとき、切断部材６０は、ガイド突部６３が可動室４１のガイド溝４２内を移動することによって、消弧室３２側へ案内される。
【００６１】
切断部材６０は、上嵌合部７１及び両連結嵌合部７３を先頭に消弧室３２へ向けて高速で移動する。この移動に伴い、切断部材６０の上嵌合部７１が最初に被切断部２２に当たり、同被切断部２２が消弧室３２側へ押圧される。この押圧により、被切断部２２のうち、切断エッジ部３４の近傍部分に応力が集中して加わる。被切断部２２が、切断エッジ部３４と上嵌合部７１との間で切断される。この切断により、図６（ａ），（ｂ）に示すように、被切断部２２には、互いに離間した一対の切断端２３，２４が生ずる。切断後も切断部材６０の移動が続くことで、嵌合部７０及び刃部６２が消弧室３２の内奥部へ入り込む。
【００６２】
図４、図６（ａ），（ｂ）及び図７（ａ），（ｂ）に示すように、上記切断部材６０の移動により、連結嵌合部７３及び側嵌合部７２が、対応する側被嵌合部４７に順に挿入されて、同側被嵌合部４７に沿ってスライド移動する。このスライド移動は、両切断端２３，２４間において行なわれる。
【００６３】
一方の切断端２３は、その発生後に、上記刃部６２によって押圧されないため、切断エッジ部３４の近くに位置する。これに対し、被切断部２２のうち他方の切断端２４を含む部分は、刃部６２によって押圧され、消弧室３２内に入り込む。被切断部２２の上記部分は、上記押圧により、刃部６２の傾斜した第２側壁面６６と、消弧室３２の傾斜した第２側壁面３６とに沿って鈍角に折り曲げられる。これらの折り曲げに要する荷重は、切断に要する荷重よりも小さい。従って、切断部材６０を消弧室３２側へ移動させるために必要な荷重は小さくてすむ。
【００６４】
そして、上記他方の切断端２４は、刃部６２の先端面６８の近くに位置する。表現を変えると、切断端２４は、消弧室３２の奥壁面３８と、消弧室３２内に入り込んだ刃部６２の先端面６８との間に位置する。
【００６５】
ここで、銅からなる導電体２０は延性に富んでいる。被切断部２２が切断時に伸びると、切断端２３，２４間の距離が短くなってアークが発生しやすい。
この点、本実施形態では、導電体２０は、切断エッジ部３４と、これに対し僅かな距離Ｄ１だけ離れた箇所を移動する嵌合部７０及び刃部６２（第１側壁面６５）とによって切断される。そのため、切断エッジ部３４がなく、かつ嵌合部７０及び刃部６２の押圧のみにより被切断部２２が切断される場合に比べ、被切断部２２の伸び量が少ない。従って、両切断端２３，２４の間隔が大きくなる。
【００６６】
被切断部２２は、両切断端２３，２４間で分断された状態となり、蓄電池１２及びコンバータ１４の間の導通が遮断される。このとき、切断により生じた両切断端２３，２４間で電位差が生じることによりアークが発生する、すなわち、両切断端２３，２４間に存在する気体の絶縁が破壊されて電流が流れる場合がある。この際、アークは、切断端２３，２４の一方から他方へ向けて、嵌合部７０及び刃部６２と消弧室３２の内壁面との間の空間を経由して流れようとする。
【００６７】
ところが、本実施形態では、切断部材６０の移動に伴い、上嵌合部７１が上被嵌合部４６に挿入される。各側被嵌合部４７に沿ってスライド移動した各連結嵌合部７３が、対応する連結被嵌合部４８に挿入される。
【００６８】
ここで、上被嵌合部４６及び両連結被嵌合部４８の奥部５１では、一対の縁部５２のそれぞれに傾斜面５３が形成されていて、被切断部２２の長さ方向における奥部５１の寸法Ｌ１が、消弧室３２の奥壁面３８から遠ざかるに従い小さくなっている。そのため、上記挿入の過程で、上嵌合部７１及び両連結嵌合部７３が両傾斜面５３において奥部５１に接触する。
【００６９】
また、上記奥部５１の一部は、被嵌合部４５のうち、切断部材６０の移動方向における先端部を構成している。この奥部５１（先端部）の一対の縁部５４には、それぞれ傾斜面５５が形成されていて、各連結被嵌合部４８の深さＤ２が先端側ほど浅くなっている。そのため、各連結嵌合部７３は側被嵌合部４７及び連結被嵌合部４８に沿ってスライド移動することで、両傾斜面５５において奥部５１に接触する。
【００７０】
そして、上記のように上嵌合部７１及び両連結嵌合部７３が、それぞれの少なくとも一部において、傾斜面５３，５５に接触した状態で、上被嵌合部４６及び両連結被嵌合部４８に嵌合される。また、両側嵌合部７２が両側被嵌合部４７に嵌合される。
【００７１】
こうした嵌合により、上嵌合部７１と上被嵌合部４６との間の空間が狭くされ、各連結嵌合部７３と各連結被嵌合部４８との間の空間が狭くされ、各側嵌合部７２と各側被嵌合部４７との間の空間が狭くされる。
【００７２】
そのため、アークの一部は、図５において経路Ｒ１で示すように、一方の切断端２３（２４）から、切断部材６０の移動方向における先端側へ向かって流れ、上嵌合部７１と上被嵌合部４６との間の空間を経由した後、他方の切断端２４（２３）に向かって流れようとする。しかし、上記空間が狭いことから、アークは経路Ｒ１に沿って流れにくい。
【００７３】
また、アークの一部は、図５において経路Ｒ２で示すように、一方の切断端２３（２４）から、被切断部２２の幅方向における外端側へ流れ、側嵌合部７２及び連結嵌合部７３と、側被嵌合部４７及び連結被嵌合部４８との間の空間を経由した後、他方の切断端２４（２３）に向かって流れようとする。しかし、上記空間が狭いことから、アークは経路Ｒ２に沿って流れにくい。
【００７４】
しかも、上記嵌合は、上嵌合部７１及び両連結嵌合部７３が、それらの少なくとも一部において、上被嵌合部４６及び両連結被嵌合部４８の内壁面に接触された状態でなされる。これらの接触は、両切断端２３，２４間で行なわれる。上嵌合部７１及び両連結嵌合部７３と上被嵌合部４６及び両連結被嵌合部４８との間の空間は、接触部分を境として被切断部２２の長さ方向に分断されたような状態となる。従って、アークはより一層好適に減衰される。
【００７５】
さらに、アークは、そのアークが流れる経路が長くなるに従い減衰されやすい。この点、本実施形態では、嵌合部７０の外壁面と被嵌合部４５の内壁面との間の空間が、一対の切断端２３，２４間でアークが流れる経路の一部を構成する。従って、こうした被嵌合部４５及び嵌合部７０が設けられない場合よりも、アークが流れる経路が長くなり、この点においてもアークが一層減衰されやすくなる。
【００７６】
その結果、アークが導通遮断装置Ｃに及ぼす影響が小さくなる。例えば、両切断端２３，２４間がアークにより電気的に接続された状態が発生しにくくなる。導電体２０が物理的に切断されているにも拘わらず、通電した状態に維持される（導通が遮断されない）現象が起こりにくくなる。また、高温のアークに晒されることが原因で、導電体２０や周辺の樹脂製の部材（ケース３０、切断部材６０等）が軟化したり溶融したりする現象が抑制される。
【００７７】
以上詳述した本実施形態によれば、次の効果が得られる。
（１）刃部６２の外壁面であって、同刃部６２による被切断部２２の切断後に両切断端２３，２４の一方が接近する箇所と他方が接近する箇所との間の領域に嵌合部７０を設ける。消弧室３２の内壁面には、嵌合部７０の少なくとも一部が接触させられた状態で嵌合される被嵌合部４５を設けている（図１）。
【００７８】
そのため、被切断部２２の切断後に、嵌合部７０と被嵌合部４５との間の空間を狭くし、同被切断部２２の切断に伴い切断端２３，２４間で発生したアークを効率よく減衰させることができる。
【００７９】
また、アークの流れる経路を長くして、アークを一層減衰させることができる。
（２）嵌合部７０の上嵌合部７１及び両連結嵌合部７３を、刃部６２のうち、切断部材６０の移動方向における先端部に設ける。被嵌合部４５の上被嵌合部４６及び両連結被嵌合部４８を、消弧室３２の内壁面のうち、上嵌合部７１及び両連結嵌合部７３の各先端面に対向する奥壁面３８に設けている（図３、図４）。
【００８０】
そのため、嵌合部７０の被嵌合部４５との接触を伴う嵌合を、切断部材６０の移動方向における先端側で行うことができる。嵌合部７０と被嵌合部４５との間の空間を狭く、かつ分断された状態にすることで、切断部材６０の移動方向における先端側を経由してアークが流れるのを抑制して、アークを減衰させることができる。
【００８１】
（３）被嵌合部４５の上被嵌合部４６及び両連結被嵌合部４８を、消弧室３２の奥壁面３８において開口する凹部により構成する。嵌合部７０の上嵌合部７１及び両連結嵌合部７３を、上被嵌合部４６及び両連結被嵌合部４８に挿入させることで、切断部材６０の移動方向における先端において、上被嵌合部４６及び両連結被嵌合部４８の内壁面に対し、接触させた状態で嵌合させる。上被嵌合部４６及び両連結被嵌合部４８の各奥部５１を、被切断部２２の長さ方向における寸法Ｌ１が、消弧室３２の奥壁面３８から遠ざかるに従い小さくなるように形成している（図４、図６（ａ））。
【００８２】
そのため、上嵌合部７１及び両連結嵌合部７３の各先端を、上被嵌合部４６及び両連結被嵌合部４８の各内壁面に接触させた状態で、嵌合部７０を被嵌合部４５に嵌合させることができる。
【００８３】
（４）嵌合部７０における両側嵌合部７２及び両連結嵌合部７３を、刃部６２のうち、被切断部２２の幅方向に直交する第３側壁面６７に設ける。被嵌合部４５の両側被嵌合部４７及び両連結被嵌合部４８を、消弧室３２のうち、上記幅方向に直交する第３側壁面３７に設けている（図４、図７（ａ））。
【００８４】
そのため、嵌合部７０の被嵌合部４５との接触を伴う嵌合を、被切断部２２の幅方向における両外端側で行うことができる。嵌合部７０と被嵌合部４５との間の空間を狭く、かつ分断された状態にすることで、上記幅方向における両外端側を経由してアークが流れるのを抑制して、アークを減衰させることができる。
【００８５】
（５）被嵌合部４５の両側被嵌合部４７及び両連結被嵌合部４８を、消弧室３２の第３側壁面３７において開口し、かつ切断部材６０の移動方向に沿って延びる凹部により構成する。嵌合部７０の両側嵌合部７２及び両連結嵌合部７３を、被嵌合部４５の両側被嵌合部４７及び両連結被嵌合部４８に挿入させスライド移動させることで、両連結嵌合部７３を、切断部材６０の移動方向における先端において、両連結被嵌合部４８の内壁面に対し、接触させた状態で嵌合させる。各連結被嵌合部４８のうち、切断部材６０の移動方向における少なくとも先端部を、同連結被嵌合部４８の深さＤ２が同方向における先端側ほど浅くなるように形成している（図４）。
【００８６】
そのため、嵌合部７０における両連結嵌合部７３の先端を被嵌合部４５における両連結被嵌合部４８の内壁面に接触させた状態で、同嵌合部７０を被嵌合部４５に嵌合させることができる。
【００８７】
なお、上記実施形態は、これを以下のように変更した変形例として実施することもできる。
＜消弧室３２について＞
・消弧室３２の開口部３３の形状が、上記実施形態とは異なる多角形状に変更されてもよい。
【００８８】
＜被嵌合部４５について＞
・図８（ａ）に示すように、被嵌合部４５の内奥壁面４９に、嵌合部７０により押圧されて変形させられるリブ５６が設けられてもよい。
【００８９】
このようにすると、嵌合部７０の被嵌合部４５への挿入が進むにつれて、嵌合部７０の先端面が被嵌合部４５の内奥壁面４９に近づく。嵌合部７０の先端面が、リブ５６に接触した後にも、嵌合部７０の移動が続くと、図８（ｂ）に示すように、リブ５６が嵌合部７０によって押圧されて変形させられる。上嵌合部７１が傾斜面５３に接触したときには、嵌合部７０の先端面と被嵌合部４５の内奥壁面４９との間の空間が、上記のように変形したリブ５６によって埋められた状態となり、同空間がより一層小さくされ、アークが空間をより一層流れにくくなる。
【００９０】
・上記実施形態において、刃部６２から突出する嵌合部７０を割愛し、刃部６２の外壁面であって、同刃部６２による被切断部２２の切断後に両切断端２３，２４の一方が接近する箇所と他方が接近する箇所との間の領域を嵌合部とする。
【００９１】
また、上記実施形態において、消弧室３２の奥壁面３８から凹む被嵌合部４５を割愛し、消弧室３２の内壁面のうち、上記嵌合部の少なくとも一部が接触された状態で嵌合される箇所を被嵌合部とする。そして、被嵌合部の内壁面のうち、嵌合部の先端面に対向する面には、嵌合部により押圧されて変形させられるリブが設けられてもよい。
【００９２】
このようにすると、嵌合部の被嵌合部への挿入が進むにつれて、嵌合部の先端面が被嵌合部の内壁面のうち、嵌合部の先端面に対向する面に近づく。嵌合部の先端面が、被嵌合部の上記面に設けられたリブに接触した後にも、嵌合部の移動が続くと、リブが嵌合部によって押圧されて変形させられる。嵌合部の先端面と被嵌合部の上記面との間の空間が、上記のように変形したリブによって埋められた状態となり、同空間がより一層小さくされ、アークがこの空間をより一層流れにくくなる。
【００９３】
・図９に示すように、被嵌合部４５の深さ方向における奥部５１において、被切断部２２の幅方向（図９の紙面に直交する方向）に沿って平行に延びる一対の縁部５２のうちの一方にのみ傾斜面５３が形成されてもよい。
【００９４】
図９は、切断エッジ部３４を含む第１側壁面３５から遠い側の縁部５２に傾斜面５３が形成された例を示している。
この場合には、次の効果も期待できる。
【００９５】
すなわち、上嵌合部７１及び刃部６２は、消弧室３２内で切断エッジ部３４から僅か（距離Ｄ１）に離間した箇所を移動することにより、同切断エッジ部３４との間で被切断部２２を切断する。一方、切断部材６０は、上述したように、弾性変形し得る材料によって形成されている。
【００９６】
この場合にも、傾斜面５３は、同被切断部２２の長さ方向（図９の左右方向）における両縁部５２間の寸法Ｌ１が、消弧室３２の奥壁面３８から遠ざかるに従い小さくなるように、切断部材６０の移動方向に対し傾斜させられる。
【００９７】
そのため、嵌合部７０は、被嵌合部４５内に挿入される過程で、傾斜面５３に接触する。その後も、被嵌合部４５内への挿入が続くと、図９において二点鎖線で示すように、切断部材６０が切断エッジ部３４側へ弾性変形させられて、同被嵌合部４５の内壁面に接触する。嵌合部７０の被嵌合部４５の内壁面に対する接触箇所が増え、嵌合部７０と被嵌合部４５との間の空間がより的確に分断された状態となり、アークがこの空間を一層流れにくくなる。
【００９８】
・被嵌合部４５において、被切断部２２の長さ方向における寸法Ｌ１が、消弧室３２の奥壁面３８から遠ざかるに従い小さくなるように形成される箇所は、同被嵌合部４５の深さ方向における奥部５１にとどまらず、奥部５１を含み、かつ同奥部５１よりも広い領域に変更されてもよい。
【００９９】
図１０は、上記箇所（傾斜面５３）が、被嵌合部４５の深さ方向の全体にわたって形成された例を示している。この場合には、嵌合部７０が被嵌合部４５内に挿入される過程で、同被嵌合部４５の内壁面（傾斜面５３）に対しより接触しやすくなる。
【０１００】
＜嵌合部７０について＞
・刃部６２において、被切断部２２の幅方向における片側だけに、側嵌合部７２及び連結嵌合部７３の組合わせが設けられてもよい。
【０１０１】
・嵌合部７０が、上嵌合部７１のみによって構成されてもよい。
・嵌合部７０が、側嵌合部７２のみによって構成されてもよい。その場合には、嵌合部７０が両側嵌合部７２によって構成されてもよいし、一方の側嵌合部７２のみによって構成されてもよい。
【０１０２】
・図１１に示すように、嵌合部７０は、被切断部２２の長さ方向（図１１の左右方向）における同嵌合部７０の厚さＴ１が、切断部材６０の移動方向における先端側（図１１の上側）ほど小さくなるように形成されてもよい。この場合にも、嵌合部７０が被嵌合部４５内に挿入される過程で、その被嵌合部４５の内壁面に接触しやすくなる。
【０１０３】
＜嵌合部７０及び被嵌合部４５の凹凸関係について＞
・図１２に示すように、嵌合部７０及び被嵌合部４５は、両者の凹凸関係が上記実施形態とは反対となるように形成されてもよい。この場合、刃部６２の外壁面において両切断端２３，２４の一方が接近する箇所と他方が接近する箇所との間の領域には、切断部材６０の移動方向における先端側（図１２の上側）の面において開口する凹部が設けられ、この凹部によって嵌合部７０が構成される。また、消弧室３２の奥壁面３８から刃部６２側へ突出する突部が設けられ、この突部によって被嵌合部４５が形成される。そして、嵌合部７０の少なくとも一部が被嵌合部４５に対し接触させられた状態で同被嵌合部４５に嵌合される。
【０１０４】
＜その他＞
・上記実施形態では、切断部材６０を形成する材料として、樹脂材料を用いることができるが、そのほかにも被切断部２２を切断し得る程度に強度が高く、弾性変形し得る材料であって、かつ適度な電気絶縁性を有する材料であることを条件に、任意の材料を採用することができる。
【０１０５】
・上記実施形態では、ケース３０及び切断部材６０を形成する手法としては、金型成形を用いて形成する手法、切削加工により形成する手法等、任意の手法を採用することができる。
【０１０６】
・上記導通遮断装置Ｃは、蓄電池１２とコンバータ１４との間に設けられるものに限らず、電気回路を構成する機器間に設けられて、それら機器間の導通を遮断する装置であれば適用することができる。そうした装置としては、例えば燃料電池車両において燃料電池と車両走行用モータとの間に設けられる導通遮断装置や、据置式のシステムの電源と電気機器との間に設けられる導通遮断装置、据置式のシステムの電気機器間に設けられる導通遮断装置等を挙げることができる。
【符号の説明】
【０１０７】
１１…電気回路、１２…蓄電池（電気回路を構成する機器）、１３…電気機器（電気回路を構成する機器）、２０…導電体、２２…被切断部、２３，２４…切断端、３２…消弧室、３３…開口部、３４…切断エッジ部、３８…奥壁面、４５…被嵌合部、４９…内奥壁面、５１…奥部、５６…リブ、５９…ガス発生器、６０…切断部材、６２…刃部、６８…先端面、７０…嵌合部、Ｃ…導通遮断装置、Ｄ２…深さ、Ｌ１，Ｌ２…寸法。
【図１】
0006344312.tif 000002
【図２】
0006344312.tif 000003
【図３】
0006344312.tif 000004
【図４】
0006344312.tif 000005
【図５】
0006344312.tif 000006
【図６】
0006344312.tif 000007
【図７】
0006344312.tif 000008
【図８】
0006344312.tif 000009
【図９】
0006344312.tif 000010
【図１０】
0006344312.tif 000011
【図１１】
0006344312.tif 000012
【図１２】
0006344312.tif 000013